(57)【要約】      （修正有）【課題】オーバーフロー流路の通気口から水が漏れ出るのを防止することができる洗面台を提供する。【解決手段】洗面台１０は、ボウル部１２と、排水栓３７と、オーバーフロー流路１６とを備える。ボウル部１２は、底部１３に排水口２２を有する。排水栓３７は、排水口２２の下流側において排水流路１５を閉塞可能である。オーバーフロー流路１６は、排水口２２の下流側で且つ排水栓３７の上流側にオーバーフロー入り口２８を有し、排水栓３７の下流側にオーバーフロー出口４３を有している。洗面台１０は、オーバーフロー入り口２８とオーバーフロー出口４３との間に設けた通気口と、通気口から流出する方向への抵抗を液体に対して付与する抵抗体としてのフロート弁と、を備える。【選択図】図２
2020045620.tif 000002
【特許請求の範囲】
【請求項１】
底部に排水口を有するボウル部と、
前記排水口に流れ込んだ液体が流れる排水配管と、
前記排水配管を閉塞可能な排水栓と、
前記排水口の下流側で且つ前記排水栓の上流側にオーバーフロー入り口を有し、前記排水栓の下流側にオーバーフロー出口を有し、前記排水口より上方で且つ前記ボウル部の上端より下方に流路部分を有し、前記オーバーフロー入り口から前記流路部分を経て前記オーバーフロー出口に至るオーバーフロー流路と、
前記オーバーフロー流路内から空気を流出させるために、前記オーバーフロー入り口と前記オーバーフロー出口との間に設けられた通気口と、
前記通気口から流出する方向への抵抗を液体に対して付与する抵抗体と、を備える洗面台。
【請求項２】
前記抵抗体は、前記通気口を開閉可能な弁である請求項１に記載の洗面台。
【請求項３】
前記弁は、水位に応じて昇降するフロート弁である請求項２に記載の洗面台。
【請求項４】
前記オーバーフロー流路を形成する管体部分にケースが設けられ、前記ケースに前記通気口が設けられ、前記ケース内に前記弁が収容されている請求項２又は３に記載の洗面台。
【発明の詳細な説明】
【技術分野】
【０００１】
本発明は、洗面台に関する。
【背景技術】
【０００２】
特許文献１に開示の排水構造は、底部に排水口を有する洗面ボウルと、排水口の下流側に配置される排水栓閉止部と、排水栓閉止部の上流側にオーバーフロー口を有するとともに排水栓閉止部の下流側にオーバーフロー水合流口を有するオーバーフローユニット部と、を備える。
【０００３】
排水栓閉止部が閉止状態にあるときに、洗面ボウルに給水すると、オーバーフローラインに水位が達するまではオーバーフローユニット部内で洗面ボウルと同じ水位まで水が溜まる。さらに洗面ボウルに給水すると、水がオーバーフロー水合流口から排水される。一方、排水栓閉止部が開放状態にあるときは、排水口からの水がそのまま排水トラップ部へと流れる。
【０００４】
オーバーフローユニット部は、上方に立ち上がったあと下方へ折り返され、その折り返し配管の上端に通気口を設けている。通気口は、オーバーフローユニット部の配管内の水面と排水トラップ部の封水面との間に形成され得る空気溜まりを外部に排出し、通気口を挟んでオーバーフローユニット部の上流側から下流側へと円滑に水を流す役割をはたす。
【先行技術文献】
【特許文献】
【０００５】
【特許文献１】特開２００３−２７８２０６号公報
【発明の概要】
【発明が解決しようとする課題】
【０００６】
ところで、水がオーバーフロー口からオーバーフローユニット部の配管内に勢いよく流入し、オーバーフロー流路の上流側の流量が下流側の流量を上回ると、通気口から配管外に水が漏れ出る懸念がある。仮に、通気口から水が漏れ出ると、洗面台のキャビネット内に水が飛び散り、キャビネット内の収納物が汚れたり、床が濡れたりするといった問題がある。
【０００７】
本発明は上記のような事情に基づいて完成されたものであって、オーバーフロー流路の通気口から水が漏れ出るのを防止することができる洗面台を提供することを課題とする。
【課題を解決するための手段】
【０００８】
本発明の洗面台は、底部に排水口を有するボウル部と、排水口に流れ込んだ液体が流れる排水配管と、排水配管を閉塞可能な排水栓と、オーバーフロー流路と、通気口と、を備える。オーバーフロー流路は、排水口の下流側で且つ排水栓の上流側にオーバーフロー入り口を有し、排水栓の下流側にオーバーフロー出口を有し、排水口より上方で且つボウル部の上端より下方に流路部分を有し、オーバーフロー入り口から流路部分を経てオーバーフロー出口に至る。通気口は、オーバーフロー流路内から空気を流出させるために、オーバーフロー入り口とオーバーフロー出口との間に設けられている。そして、洗面台は、通気口から流出する方向への抵抗を液体に対して付与する抵抗体を備える。
【０００９】
仮に、液体がオーバーフロー流路に勢いよく流入しても、液体には抵抗体による抵抗が付与されるため、通気口から水が漏れ出るのを防止することができる。
【図面の簡単な説明】
【００１０】
【図１】本発明の実施例１の洗面台における排水構造の断面図である。
【図２】洗面台の断面図である。
【図３】通気口が開放状態にある弁ユニットの拡大断面図である。
【図４】通気口がフロート弁で閉塞状態にある弁ユニットの拡大断面図である。
【図５】ケースの半割体の斜視図である。
【図６】本発明の実施例２の洗面台における要部拡大概略図である。
【発明を実施するための形態】
【００１１】
本発明の実施形態を以下に示す。
（１）抵抗体は、前記通気口を開閉可能な弁である。このような弁が駆動することにより、通気口から液体が漏れ出るのをより確実に防止することができる。
（２）弁は、水位に応じて昇降するフロート弁である。こうしたフロート弁は比較的構造が簡単であるため、コンパクト化及び低コスト化を図ることができる。
（３）オーバーフロー流路を形成する管体部分にケースが設けられ、ケースに通気口が開けられ、ケース内に弁が収容されている。このような管体部分に設けたケースを用いることにより、通気口を含む弁ユニットを容易に形成することができる。
【００１２】
＜実施例１＞
以下、本発明の実施例を図１〜図５を参照して説明する。実施例１の洗面台１０は、図１に示すように、キャビネット１１上に設置されるボウル部１２と、ボウル部１２の底部１３に接続される排水配管１４と、排水配管１４内の排水流路１５に合流するオーバーフロー流路１６と、オーバーフロー流路１６の途中に設けられる弁ユニット１７と、を備えている。
【００１３】
ボウル部１２は、陶器製の洗面ボウルであって、上端後方に張り出す奥部１８に、水栓１９を設置している。水栓１９から出た水（液体）は、ボウル部１２の凹状面で受けられる。
【００１４】
図２に示すように、ボウル部１２は、底部１３の略中央部に、排水口２２を有し、排水口２２の周縁から下向きに突出する筒部２３を有している。筒部２３の内周面は、排水口２２へ向けて漸次口径が大きくなる拡開面部２４を構成している。
【００１５】
ボウル部１２は、筒部２３の後面側から底部１３及び背部２５にわたる外面領域に膨出して一体形成されるオーバーフロー上流管部２６を有している。オーバーフロー上流管部２６内は、オーバーフロー流路１６の上流部２７を構成している。オーバーフロー流路１６の上流部２７は、前端に、筒部２３の後面側を貫通して排水配管１４内に臨むオーバーフロー入り口２８を有し、上端が奥部１８で閉塞されている。オーバーフロー上流管部２６は、上端寄りの後面側に、分岐接続口２９を設けている。オーバーフロー流路１６の上流部２７は、分岐接続口２９を介して、オーバーフロー流路１６の下流部２１と連通している。
【００１６】
排水配管１４は、上下方向に延びる円管状をなし、上端に、全周にわたって張り出すフランジ部３１を有し、上端寄りの外周面に、ねじ部３２を設けている。排水配管１４の下端は、略Ｓ字状に屈曲した封水式のトラップ配管３３（図１を参照）に接続されている。
【００１７】
排水配管１４は、筒部２３内に上方から挿入される。フランジ部３１は、筒部２３内に挿入された状態で、ボウル部１２の拡開面部２４に掛け止められる。
【００１８】
ねじ部３２には環状のナット３４が螺合される。ナット３４は、ねじ部３２への締め付けによって筒部２３の下端に当接する。排水配管１４は、ナット３４とフランジ部３１との間に筒部２３が挟持された状態となることにより、ボウル部１２に取り付け固定される。
【００１９】
排水配管１４は、フランジ部３１とねじ部３２との間に、開口部３５を有している。開口部３５は、周方向に複数設けられ、オーバーフロー入り口２８を介してオーバーフロー流路１６と連通している。
【００２０】
排水配管１４は、ねじ部３２と重なる高さ位置に、径方向の厚肉部分を有し、その厚肉部分の内周上端に、径方向に沿った段付きの座部３６を有している。座部３６には、排水栓３７が離間可能に支持される。
【００２１】
排水栓３７は、円盤状の蓋材であって、座部３６に当接することで、排水口２２の下流側において排水配管１４の排水流路１５を閉塞する。排水栓３７が閉塞状態にあるときには、排水口２２から出た水は、オーバーフロー入り口２８からオーバーフロー流路１６に流入する。一方、排水栓３７が座部３６から離間した開放状態にあるときには、排水口２２から出た水は、排水配管１４の排水流路１５を直下方向に流れる。
【００２２】
排水栓３７は、中心部に、上下方向に延びる軸部材３８を貫通させている。軸部材３８は、上下中間部に、排水栓３７を取り付けており、さらに、上端部に、目皿３９を取り付け、下端部に、ヘアキャッチャー４１を取り付けている。目皿３９は、排水口２２を覆うとともに側面側の開口部分を通して排水口２２に水を通すことが可能な構造になっている。ヘアキャッチャー４１は、後述する合流接続口４２の下流側に位置し、水の通過を許容しつつ毛髪などを補集することが可能な構造になっている。
【００２３】
排水配管１４は、ねじ部３２の下方の後面側に、合流接続口４２を設けている。排水配管１４内の排水流路１５は、合流接続口４２を介して、オーバーフロー流路１６の下流部２１の出口（後述するオーバーフロー出口４３）と連通している。
【００２４】
オーバーフロー流路１６の下流部２１は、ボウル部１２とは別体の部材であるオーバーフロー管４４内に構成される。オーバーフロー管４４は、分岐接続口２９の内周部位に接続されるエルボ管からなる第１継手管４５と、合流接続口４２の内周部位に接続されるソケット管からなる第２継手管４６と、上端部が第１継手管４５の下部側に嵌合して接続され、下端前部が第２継手管４６の後部側に嵌合して接続され、上端部から下端前部にかけて下向きに湾曲しつつ延びるオーバーフロー管本体４７と、から構成される。オーバーフロー流路１６の下流部２１は、合流接続口４２に臨む位置に、オーバーフロー出口４３を有している。
【００２５】
全体としてみると、オーバーフロー流路１６は、上流部２７がオーバーフロー入り口２８から底部１３に沿って後方に延びたあと背部２５に沿って立ち上がり、下流部２１が分岐接続口２９から後方に延びる流路部分を有し、流路部分から下向きに折り返され、折り返された先端に、オーバーフロー出口４３が位置して排水配管１４の排水流路１５に合流されるように構成される。
【００２６】
図３に示すように、第１継手管４５は、前後方向に延びる直管部４８を有し、直管部４８から分岐して立ち上がる短筒の取付部４９を有している。直管部４８は、底部１３の上方で且つ奥部１８の下方に位置し（図２を参照）、オーバーフロー流路１６の折り返し部分の上面部を構成している。取付部４９は、内周面に、雌ねじ部５１を設けている。
【００２７】
弁ユニット１７は、第１継手管４５の取付部４９の上面部に着脱可能に設けられる。弁ユニット１７は、ケース５２と、ケース５２内に上下方向に昇降可能に収容されるフロート弁５３と、を有している。
【００２８】
ケース５２は、下面が開口する円筒状をなし、外周面の下部側に、雄ねじ部５４を設けている。ケース５２は、フロート弁５３を収容した状態で取付部４９に上方から挿入されて回転され、雄ねじ部５４が雌ねじ部５１に螺合されて、取付部４９に取り付けられる。
【００２９】
ケース５２は、周壁５５の下部内側に、周壁５５と同心環状の着座部５６を有している（図５を参照）。周壁５５と着座部５６は、周方向に複数設置された連結部５７によって連結されている。ケース５２は、周壁５５、着座部５６及び各連結部５７の間に、複数の通過口５８を設けている。各通過口５８は、各連結部５７間にて周方向に延びる円弧スリット状をなし、ここでは全部で４つ設けられる。
【００３０】
ケース５２は、上壁６１の中心部に、円形に開口する通気口５９を設けている。通気口５９の内周面は、上壁６１の厚み方向（上下方向）に関して、上壁６１の上面へ向けて縮径するテーパ状の座面部６２を構成している。座面部６２には、ケース５２内に収容されたフロート弁５３が離着座する。
【００３１】
図５に示すように、ケース５２は、径方向に沿った分割面７７を有し、分割面７７を介して一対の半割体５２Ａ（図５に一方を図示）に分割可能とされている。各半割体５２Ａがフロート弁５３を内側に配置した状態で合体されることにより、フロート弁５３がケース５２に内包されて保持される。
【００３２】
図３に示すように、フロート弁５３は、球形をなし、ケース５２内における上向き（通気口５９から流出する方向であって、図３の矢印Ｒ方向）の流路部分に抵抗を付与する。フロート弁５３の直径は、周壁５５の内周径よりも小さく、且つ通気口５９の最大口径及び着座部５６の内周径のそれぞれよりも大きくされている。
【００３３】
本実施例１の洗面台１０の構造は上述のとおりであり、続いて、排水の流れを説明する。
排水栓３７が座部３６から離間し、排水配管１４の排水流路１５が閉塞されていない状態のとき、ボウル部１２内に生じた水は、排水口２２から、オーバーフロー流路１６を通過することなく、排水配管１４内を流下し、さらにトラップ配管３３内を通過して下水側へと排出される。トラップ配管３３の屈曲部分には水が溜まって封水が形成される。
【００３４】
一方、排水栓３７が座部３６に当接し、排水配管１４の排水流路１５における直下方向の流れが阻止される状態のとき、ボウル部１２内に生じた水は、排水口２２からオーバーフロー入り口２８を通してオーバーフロー流路１６に流れ込む。オーバーフロー流路１６に流入した水は、ボウル部１２内に溜まる水の水位に応じてオーバーフロー流路１６の上流部２７を上昇する。さらに、水は、分岐接続口２９を通してオーバーフロー流路１６の下流部２１に流入し、第１継手管４５の直管部４８内の内周下端に沿って下流部２１を流れることができる。この間、フロート弁５３はケース５２内にて着座部５６にほぼ当接し、通気口５９は開放された状態にある。
【００３５】
オーバーフロー流路１６の上流部２７に流入する水とトラップ配管３３内の封水部分との間に形成され得る空気溜まりは、通過口５８から通気口５９を通してケース５２の外部に排出される。こうしてオーバーフロー流路１６が大気開放されて実質的に大気圧に保たれる間、水は、上流部２７から下流部２１にスムーズに流れ、下流部２１からオーバーフロー出口４３を通して排水配管１４の排水流路１５に合流され、最後は下水に排水される。ボウル部１２内にはオーバーフロー流路１６の直管部４８と対応する高さ位置まで水を溜めることができ、使用者はボウル部１２内で洗濯、洗顔、手洗いなどを行うことができる状態になる。
【００３６】
水は、オーバーフロー流路１６の上流部２７に勢いよく流れ込むなどすることで、弁ユニット１７のケース５２内にも流入し得る。ケース５２内に流入した水は、フロート弁５３による抵抗を受けることで通気口５９側への上昇が抑えられる。図４に示すように、フロート弁５３が座面部６２に当接すると、通気口５９が閉塞され、通気口５９から水が漏れ出るのを確実に防止することができる。
【００３７】
ここで、抵抗を付与する抵抗体がフロート弁５３であるから、通気口５９からの水の漏れ出しを防止する信頼性を高めることができるとともに、弁ユニット１７を比較的簡単な構成にすることができる。
【００３８】
さらに、フロート弁５３とケース５２とで弁ユニット１７が構成され、ケース５２がオーバーフロー流路１６を形成する直管部４８の上面部に設けられているため、弁ユニット１７の製造が容易で組み付け性に優れたものとなる。
【００３９】
＜実施例２＞
図６は、本発明の実施例２を示す。実施例２は、弁ユニット１７が電磁弁７１で構成されており、この点で、実施例１とは異なる。その他は、実施例１と同様であるため、以下においては、実施例１と重複する説明を省略する。
【００４０】
電磁弁７１は、内部を図示しないが、通気口を有するケース５２Ｂと、ケース５２Ｂ内に上下方向に昇降可能に収容され、通気口を開閉可能な弁体と、弁体を取り付けたプランジャと、プランジャを駆動するソレノイドと、を備える。ケース５２Ｂは、オーバーフロー管４４の第１継手管４５の直管部４８の上面部に設けられている。
【００４１】
実施例２の場合、オーバーフロー管４４の直管部４８内又はケース５２Ｂ内に流入した水が所定の水位に達すると、その水位が水位センサ７２により検知され、水位センサ７２が所定の水位に達したことを制御装置７３に通知する。制御装置７３は電磁弁７１に検出信号を送り、ソレノイドが開弁方向又は閉弁方向に移動することにより、ケース５２内を上昇する流路部分の開度が弁体で変更調整される。こうしてケース５２内の流路部分に弁体の抵抗が付与されることにより、実施例１と同様、オーバーフロー流路１６を流れる水が通気口５９から漏れ出るのを防止することができるようになる。
【００４２】
＜他の実施例＞
以下、他の実施例を簡単に説明する。
（１）実施例１、２では、オーバーフロー流路の上流部がボウル部と一体のオーバーフロー上流管部に形成されていたが、本発明の場合、オーバーフロー流路を形成する配管は、全体がボウル部とは別体の部材で成形されるものであってもよい。逆に、オーバーフロー流路を形成する配管は、全体がボウル部と一体に成形されるものであってもよい。
（２）実施例１、２では、抵抗体としての弁を収容するケースが、取付部を介してオーバーフロー管に取り付けられたが、本発明の場合、ケースは、取付部を介さずオーバーフロー管と一体に成形されるものであってもよい。
（３）実施例１、２では、抵抗体としての弁が通気口を完全に塞ぐことができたが、本発明の場合、弁が通気口を完全に塞ぐまでに至らないものであってもよい。
（４）通気口は、オーバーフロー流路の適宜位置に設置することができ、必ずしも、オーバーフロー流路の折り返し部分の管体の上面部に設けられる必要はない。
【符号の説明】
【００４３】
１０…洗面台
１２…ボウル部
１３…底部
１６…オーバーフロー流路
２８…オーバーフロー入り口
３７…排水栓
４３…オーバーフロー出口
５３…フロート弁
５９…通気口
【図１】
2020045620.tif 000003
【図２】
2020045620.tif 000004
【図３】
2020045620.tif 000005
【図４】
2020045620.tif 000006
【図５】
2020045620.tif 000007
【図６】
2020045620.tif 000008